(57)【要約】【課題】医用画像診断装置における検査終了処理の操作性を向上させることができるようにする。【解決手段】記憶部３２の検査終了設定条件データベース３９は、検査終了条件設定部３４により予め設定された設定条件が対応付けて登録されているデータベースを管理しており、検査終了処理部３３は、検査終了設定条件データベース３９に管理されているデータベースを参照して、予め設定された検査終了設定条件に当てはまるか否かを判定し、予め設定された検査終了設定条件に当てはまると判定された場合、検査を終了した旨の通知を生成し、通信部３６に供給するとともに、現在行われている被検体の検査を終了する。検査終了条件設定部３４は、検査終了条件設定ダイアログに基づいて検査終了条件を設定する。通信部３６は、検査終了処理部３３から供給された検査終了の通知をネットワークを介してRIS１３に送信する。【選択図】  図５
2007215685.tif 000002
【特許請求の範囲】
【請求項１】
被検体の検査を終了するための検査終了条件を設定する検査終了条件設定手段と、
前記検査終了条件設定手段により設定された検査終了条件に基づいて、前記被検体の検査を終了する検査終了手段と
を備えることを特徴とする医用画像診断装置。
【請求項２】
前記検査終了手段は、
前記検査終了条件設定手段により設定された検査終了条件に基づいて、前記被検体の検査を終了するか否かを判定する検査終了判定手段を備え、
前記検査終了判定手段により前記被検体の検査を終了すると判定された場合、前記検査終了手段は前記被検体の検査を終了する
ことを特徴とする請求項１に記載の医用画像診断装置。
【請求項３】
ユーザを検知するセンサと、
前記センサからの検知信号の供給があるか否かを判定する検知信号判定手段と、
前記被検体の検査が終了していないことをユーザに告知するための警報音を発生する警報音発生手段と
をさらに備え、
前記検知信号判定手段により前記センサからの検知信号の供給がないと判定された場合、前記警報音発生手段は前記警報音を発生し、前記検知信号判定手段により前記センサからの検知信号の供給があると判定された場合、前記警報音発生手段は前記警報音の発生を停止する
ことを特徴とする請求項２に記載の医用画像診断装置。
【請求項４】
ユーザを検知するセンサと、
前記センサからの検知信号の供給があるか否かを判定する検知信号判定手段と、
前記検知信号判定手段により前記センサからの検知信号の供給がないと判定された場合、前記被検体の検査が終了していないことをユーザに告知するための警報音をユーザが管理する外部端末に発生させる警報音発生制御信号を生成し、前記外部端末に送信する警報音発生制御信号送信手段と、
被検体の検査の終了を指示する検査終了指示信号を前記外部端末から受信する検査終了指示信号受信手段と、
をさらに備え、
前記検査終了指示信号受信手段により前記外部端末から検査終了指示信号を受信したとき、前記検査終了手段は前記被検体の検査を終了する
ことを特徴とする請求項２に記載の医用画像診断装置。
【請求項５】
前記センサは、赤外線センサであることを特徴とする請求項３または４に記載の医用画像診断装置。
【請求項６】
前記検査終了判定手段により前記被検体の検査を終了すると判定された場合、前記被検体の検査を終了する旨のダイアログを表示する表示制御手段をさらに備えることを特徴とする請求項２に記載の医用画像診断装置。
【請求項７】
前記検査終了条件設定手段により設定される検査終了条件には、少なくとも、前記被検体の検査において画像化のためのエネルギー送受信が停止している時間、ユーザからの入力がないキー入力なし時間、前記医用画像診断装置の前でユーザを検知することができない時間であるユーザ不在検知時間、ユーザが前記被検体の検査を行うのに要する最大の時間である最大検査時間、ユーザが前記医用画像診断装置から離れる時間である休憩時間、前記医用画像診断装置で取得された画像データがDICOM Serverへ送信されたことを示すDICOM Server送信済み情報、および、前記医用画像診断装置で取得された画像データがDICOM Printerへ送信されたことを示すDICOM Printer送信済み情報のいずれかが含まれることを特徴とする請求項１に記載の医用画像診断装置。
【請求項８】
前記検査終了手段により前記被検体の検査を終了するとき、前記被検体の検査が終了した旨の通知である検査終了通知を生成する検査終了通知生成手段と、
前記検査終了通知生成手段により生成された前記検査終了通知を、前記医用画像診断装置にネットワークを介して接続されている病院情報システムに送信する検査終了通知送信手段と
をさらに備えることを特徴とする請求項１に記載の医用画像診断装置。
【請求項９】
被検体の検査を終了するための検査終了条件を設定する検査終了条件設定ステップと、
前記検査終了条件設定ステップの処理により設定された検査終了条件に基づいて、前記被検体の検査を終了する検査終了ステップと
をコンピュータに実行させることを特徴とする医用画像診断装置の医用情報処理プログラム。
【請求項１０】
医用画像診断装置における被検体の検査が終了していないことをユーザに告知するための警報音を発生させる警報音発生制御信号を前記医用画像診断装置から受信する警報音発生制御信号受信手段と、
前記被検体の検査が終了していないことをユーザに告知するための警報音を発生する警報音発生手段と
を備え、
前記警報音発生手段は、前記警報音発生制御信号受信手段により受信された前記警報音発生制御信号に基づいて前記警報音を発生する
ことを特徴とする外部端末。
【請求項１１】
前記医用画像診断装置に前記被検体の検査を終了するとの指示を入力する検査終了指示入力手段と、
前記検査終了指示入力手段により前記被検体の検査を終了するとの指示が入力されたか否かを判定する検査終了指示入力判定手段と、
前記医用画像診断装置に前記被検体の検査の終了を指示する検査終了指示信号を生成し、前記医用画像診断装置に送信する検査終了指示信号送信手段と
をさらに備え、
前記検査終了指示入力判定手段により前記検査終了指示入力手段により被検体の検査を終了するとの指示が入力されたと判定された場合、前記検査終了指示信号送信手段は、前記医用画像診断装置に前記被検体の検査の終了を指示する検査終了指示信号を生成し、前記医用画像診断装置に送信する
ことを特徴とする請求項１０に記載の外部端末。
【請求項１２】
前記警報音発生手段は、前記検査終了指示信号送信手段により前記被検体の検査の終了を指示する検査終了指示信号が前記医用画像診断装置に送信された後、前記警報音の発生を停止する
ことを特徴とする請求項１１に記載の外部端末。
【請求項１３】
前記警報音発生手段による前記警報音の発生を停止するとの指示を入力する警報音発生停止指示入力手段と、
前記警報音発生停止指示入力手段により前記警報音の発生を停止するとの指示が入力されたか否かを判定する警報音発生停止指示入力判定手段と
をさらに備え、
前記警報音発生停止指示入力判定手段により前記警報音発生停止指示入力手段により前記警報音の発生を停止するとの指示が入力されたと判定された場合、前記警報音発生手段は前記警報音の発生を停止する
ことを特徴とする請求項１１に記載の外部端末。
【発明の詳細な説明】
【技術分野】
【０００１】
本発明は医用画像診断装置およびその医療情報処理プログラム、並びに外部端末に係り、特に、医用画像診断装置における検査終了処理の操作性を向上させることができるようにした医用画像診断装置およびその医療情報処理プログラム、並びに外部端末に関する。
【背景技術】
【０００２】
医用画像診断装置には、X線診断装置を始め、X線CT装置、磁気共鳴イメージング装置、核医学診断装置、超音波診断装置などの種々のモダリティがある。医師は、患者の病状に応じてこれらの装置を適切に選択し、選択された各診断装置によって取得された医用画像に基づいて診断を行う。
【０００３】
また、医師は、患者の病状によっては１つのモダリティだけでなく、複数のモダリティを用いて検査を行い、各モダリティ間の医用画像を比較して総合的に診断し、必要があればさらに詳細に調べ、治療を行っている。例えば、一人の患者に対してX線CT装置で検査を行い、さらに磁気共鳴イメージング装置でも検査を行い、両方の医用画像をもとに、循環器X線検査装置においてX線透視・撮影をしながら手術するというようなことが行われている。
【０００４】
最近では、複数の異なったモダリティによって取得された医用画像を比較しながらいち早く診断を行うことができるように、X線診断装置、X線CT装置、磁気共鳴イメージング装置、核医学診断装置、超音波診断装置などと、これらの装置からの医用画像を取り込むための医用画像保管サーバ、およびこの医用画像保管サーバに取り込んだ医用画像を表示するための医用画像を表示するための医用画像ビューアがネットワークを介して接続されている。
【０００５】
また、このネットワークには、さらに、患者の名前、性別、年齢などの個人情報、診療履歴、検査の予約、検査項目を示す検査オーダ情報などの種々の情報を管理する病院情報システム（Hospital information system）（以下、「HIS」という。）と、放射線部門での患者の名前、性別、年齢などの個人情報、診療履歴、検査の予約、検査項目を示す検査オーダ情報などの種々の情報を管理する放射線部門情報管理システム（Radiology information system）（以下、「RIS」という。）が接続されている。このようなネットワークを介して医用画像を通信するための標準規格として、医用画像通信規格（Digital Imaging and Communication in Medicine）（以下、「DICOM」という。）が存在する。
【０００６】
しかし、このようなネットワークシステムにおいては、システムの規模が大きくなると、１つの医用画像保管サーバでは足りなくなり、メーカも機能も仕様も異なる複数の医用画像保管サーバがネットワーク上に接続されるようになる。そうすると、ネットワークシステム上の複数の医用画像保管サーバを利用する場合、医師は、その都度医用画像ビューアを用いて必要な医用画像を探さなければならず、その結果、ネットワークシステム上の医用画像保管サーバの利用にあたり多くの時間と手間がかかってしまい、大変煩わしいという問題があった。
【０００７】
そこで、ネットワークを介して接続された複数のモダリティやこれ以外の医用装置などとの間におけるデータの汎用性を高め、各モダリティの有するリソースを有効に活用し、モダリティ毎の相違によらず患者単位で医用情報を管理する方法が提案されている（特許文献１参照）。
【０００８】
ところで、このような病院のネットワークシステムにおいてMPPS（Modality Performed Procedure Step）（以下、「MPPS」という。）が導入されている場合、図１に示されるように、HIS/RIS１からWork List（すなわち、検査予約情報）を医用画像診断装置２にネットワーク（図示せず）を介して通知するとともに、検査の開始と終了時において、医用画像診断装置２からHIS/RIS１にMPPS（すなわち、検査開始と検査終了の通知）を行う。特に、検査終了の通知に関しては、医用画像診断装置２の入力部（図示せず）に検査終了ボタンを予め設けておき、医用画像診断装置２を扱う医師や技師（以下、「ユーザ」という）に検査終了ボタンを押させることにより検査終了の通知を行うようにしたり、あるいは、医用画像診断装置２の次の検査開始操作のタイミングで前の検査の終了の通知を行うようにするとともに、医用画像診断装置２で現在行われている検査の終了処理を行うようにしている。これにより、病院のネットワークシステムにおける種々の処理や手続きを円滑に行うようにすることができる。なお、医用画像診断装置２で行われる検査終了処理においては、医用画像診断装置２に設けられているデータベースのCloseを行ったり、図示せぬ表示部の画面上に表示されている画像や計測結果のクリアなどを行っている。
【特許文献１】特開２００３−２３３６７４号公報
【発明の開示】
【発明が解決しようとする課題】
【０００９】
しかしながら、MPPSが導入されている病院のネットワークシステムにおいて検査開始時にはユーザが患者（以下、「被検体」という。）のID（Identification）の入力などを行う手順が存在するが、一方、検査終了時にはこのような手順がない場合があり、そのため、次回の検査開始時まで医用画像診断装置２の操作が放置されてしまう可能性があった。具体的には、ユーザが検査終了時に検査終了ボタンを押すことにより検査終了の通知を行うべきであるにもかかわらず、検査終了ボタンの操作を忘れてしまい、その結果、医用画像診断装置２の操作がしばらくの間放置されてしまう可能性があった。このような場合、医用画像診断装置２からHIS/RIS１への検査終了の通知は遅れてしまい、さらには、その後の会計処理などの開始も遅れてしまう。
【００１０】
ここで、図２を参照して、ユーザが検査終了時に検査終了ボタンの操作を忘れてしまった場合における検査終了処理や会計処理などの遅延について説明する。
【００１１】
図２に示されるように、実線３は実際の検査時間軸（例えば、時刻t１、t２、およびt３）を示しており、実線４はMPPS上の検査時間軸（例えば、時刻T１）を示している。図２の例の場合、ユーザは検査Aを実際には時刻t１で開始し、時刻t２で終了している。しかし、ユーザが実際の検査終了時である時刻t２に検査終了ボタンの操作を忘れ、その後昼食を取るために医用画像診断装置２の使用を一時中断してしまうと、実際の検査Aの終了時刻が時刻t２であるにもかかわらず、HIS/RIS１への検査Aの検査終了通知は次回の検査Bの開始時刻である時刻t３まで遅れてしまう。
【００１２】
これにより、MPPS上においては、実際の検査Bの検査開始時刻である時刻t３に対応するMPPS上の時刻T１まで検査Aの終了はなされていないこととなり、その後の会計処理などもMPPS上の時刻T１まで開始されない。従って、すでに検査を受け終わり、会計を早く済ませたいと所望する被検体を不必要に長く待たせてしまうという課題があった。
【００１３】
また、次回の検査開始時まで医用画像診断装置２の操作が放置されると、その間、医用画像診断装置２においては検査終了処理が開始されないため、例えば、被検体の検査画像などが不特定多数の人（例えば、次回の検査を受ける他の被検体など）に見られてしまうこともあり、被検体の個人情報の保護の点において好ましくないという課題があった。
【００１４】
本発明は、このような状況に鑑みなされたものであり、医用画像診断装置における検査終了処理の操作性を向上させることができる医用画像診断装置およびその医療情報処理プログラムを提供することを目的としている。
【課題を解決するための手段】
【００１５】
本発明の医用画像診断装置は、上述した課題を解決するために、被検体の検査を終了するための検査終了条件を設定する検査終了条件設定手段と、検査終了条件設定手段により設定された検査終了条件に基づいて、被検体の検査を終了する検査終了手段とを備えることを特徴とする。
【００１６】
検査終了手段は、検査終了条件設定手段により設定された検査終了条件に基づいて、被検体の検査を終了するか否かを判定する検査終了判定手段を備え、検査終了判定手段により被検体の検査を終了すると判定された場合、検査終了手段は被検体の検査を終了するようにすることができる。
【００１７】
この医用画像診断装置は、ユーザを検知するセンサと、センサからの検知信号の供給があるか否かを判定する検知信号判定手段と、被検体の検査が終了していないことをユーザに告知するための警報音を発生する警報音発生手段とをさらに備え、検知信号判定手段によりセンサからの検知信号の供給がないと判定された場合、警報音発生手段は警報音を発生し、検知信号判定手段によりセンサからの検知信号の供給があると判定された場合、警報音発生手段は警報音の発生を停止するようにすることができる。
【００１８】
この医用画像診断装置は、ユーザを検知するセンサと、センサからの検知信号の供給があるか否かを判定する検知信号判定手段と、検知信号判定手段によりセンサからの検知信号の供給がないと判定された場合、被検体の検査が終了していないことをユーザに告知するための警報音をユーザが管理する外部端末に発生させる警報音発生制御信号を生成し、外部端末に送信する警報音発生制御信号送信手段と、被検体の検査の終了を指示する検査終了指示信号を外部端末から受信する検査終了指示信号受信手段と、をさらに備え、検査終了指示信号受信手段により外部端末から検査終了指示信号を受信したとき、検査終了手段は被検体の検査を終了するようにすることができる。
【００１９】
センサは、赤外線センサであるようにすることができる。
【００２０】
この医用画像診断装置は、検査終了判定手段により被検体の検査を終了すると判定された場合、被検体の検査を終了する旨のダイアログを表示する表示制御手段をさらに備えるようにすることができる。
【００２１】
検査終了条件設定手段により設定される検査終了条件には、少なくとも、被検体の検査において画像化のためのエネルギー送受信が停止している時間、ユーザからの入力がないキー入力なし時間、医用画像診断装置の前でユーザを検知することができない時間であるユーザ不在検知時間、ユーザが被検体の検査を行うのに要する最大の時間である最大検査時間、ユーザが医用画像診断装置から離れる時間である休憩時間、医用画像診断装置で取得された画像データがDICOM Serverへ送信されたことを示すDICOM Server送信済み情報、および、医用画像診断装置で取得された画像データがDICOM Printerへ送信されたことを示すDICOM Printer送信済み情報のいずれかが含まれるようにすることができる。
【００２２】
この医用画像診断装置は、検査終了手段により被検体の検査を終了するとき、被検体の検査が終了した旨の通知である検査終了通知を生成する検査終了通知生成手段と、検査終了通知生成手段により生成された検査終了通知を、医用画像診断装置にネットワークを介して接続されている病院情報システムに送信する検査終了通知送信手段をさらに備えるようにすることができる。
【００２３】
本発明の医用画像診断装置の医用情報処理プログラムは、上述した課題を解決するために、被検体の検査を終了するための検査終了条件を設定する検査終了条件設定ステップと、検査終了条件設定ステップの処理により設定された検査終了条件に基づいて、被検体の検査を終了する検査終了ステップとをコンピュータに実行させることを特徴とする。
【００２４】
本発明の外部端末は、上述した課題を解決するために、医用画像診断装置における被検体の検査が終了していないことをユーザに告知するための警報音を発生させる警報音発生制御信号を医用画像診断装置から受信する警報音発生制御信号受信手段と、被検体の検査が終了していないことをユーザに告知するための警報音を発生する警報音発生手段とを備え、警報音発生手段は、警報音発生制御信号受信手段により受信された警報音発生制御信号に基づいて警報音を発生することを特徴とする。
【００２５】
この外部端末は、医用画像診断装置に被検体の検査を終了するとの指示を入力する検査終了指示入力手段と、検査終了指示入力手段により被検体の検査を終了するとの指示が入力されたか否かを判定する検査終了指示入力判定手段と、医用画像診断装置に被検体の検査の終了を指示する検査終了指示信号を生成し、医用画像診断装置に送信する検査終了指示信号送信手段とをさらに備え、検査終了指示入力判定手段により検査終了指示入力手段により被検体の検査を終了するとの指示が入力されたと判定された場合、検査終了指示信号送信手段は、医用画像診断装置に被検体の検査の終了を指示する検査終了指示信号を生成し、医用画像診断装置に送信するようにすることができる。
【００２６】
警報音発生手段は、検査終了指示信号送信手段により被検体の検査の終了を指示する検査終了指示信号が医用画像診断装置に送信された後、警報音の発生を停止するようにすることができる。
【００２７】
この外部端末は、警報音発生手段による警報音の発生を停止するとの指示を入力する警報音発生停止指示入力手段と、警報音発生停止指示入力手段により警報音の発生を停止するとの指示が入力されたか否かを判定する警報音発生停止指示入力判定手段とをさらに備え、警報音発生停止指示入力判定手段により警報音発生停止指示入力手段により警報音の発生を停止するとの指示が入力されたと判定された場合、警報音発生手段は警報音の発生を停止するようにすることができる。
【００２８】
本発明の医用画像診断装置およびその医用情報処理プログラムにおいては、被検体の検査を終了するための検査終了条件が設定され、設定された検査終了条件に基づいて被検体の検査が終了される。
【００２９】
本発明の外部端末においては、医用画像診断装置における被検体の検査が終了していないことをユーザに告知するための警報音を発生させる警報音発生制御信号が医用画像診断装置から受信され、被検体の検査が終了していないことをユーザに告知するための警報音が、受信された警報音発生制御信号に基づいて発生される。
【発明の効果】
【００３０】
本発明によれば、医用画像診断装置の検査終了条件を予め設定することができる。また、予め設定された検査終了条件に基づいて医用画像診断装置の検査終了処理をすることができる。さらに、医用画像診断装置の検査終了処理が行われる前に、ユーザが医用画像診断装置から離れた場合、医用画像診断装置の検査終了処理がまだ行われていない旨を警報音で知らせることができる。これにより、医用画像診断装置における検査終了処理の操作性を向上させることができる。
【発明を実施するための最良の形態】
【００３１】
本発明の実施の形態について、図面を参照しながら説明する。
【００３２】
図３は、本発明を適用した病院ネットワークシステム１１の構成を表している。
【００３３】
図３に示されるように、病院ネットワークシステム１１においては、患者の名前、性別、年齢などの個人情報、診療履歴、検査の予約、検査項目を示す検査オーダ情報などの種々の情報を管理する病院情報システムであるHIS１２と、放射線部門での患者の名前、性別、年齢などの個人情報、診療履歴、検査の予約、検査項目を示す検査オーダ情報などの種々の情報を管理する放射線部門情報管理システムであるRIS１３と、医用画像診断装置１４−１乃至１４−４とが図示せぬネットワーク（例えば、インターネット、LAN（Local Area Network）、WAN（Wide Area Network）その他の各種のネットワークを含む）を介してそれぞれ接続されている。
【００３４】
HIS１２は、図示せぬネットワークを介してRIS１３と接続されており、RIS１３を介して医用画像診断装置１４−１乃至１４−４にそれぞれ、検査予約情報などの通知を送信するとともに、RIS１３を介して医用画像診断装置１４−１乃至１４−４から検査開始の通知と検査終了の通知を受信し、受信された検査終了の通知に基づいて病院情報処理（例えば、会計処理など）を実行する。
【００３５】
RIS１３は、図示せぬネットワークを介してHIS１２と医用画像診断装置１４−１乃至１４−４と接続されており、HIS１２から送信された検査予約情報などの通知を受信し、受信された検査予約情報などの通知を医用画像診断装置１４−１乃至１４−４に送信するとともに、医用画像診断装置１４−１乃至１４−４から送信された検査開始の通知と検査終了の通知を受信し、受信された検査開始の通知と検査終了の通知をHIS１２に送信する。
【００３６】
医用画像診断装置１４−１乃至１４−４は、図示せぬネットワークを介してRIS１３と接続されており、RIS１３から送信された検査予約情報などの通知を受信し、受信された検査予約情報を記憶するとともに、検査開始の通知と検査終了の通知を適宜、RIS１３に送信する。なお、各医用画像診断装置１４−１乃至１４−４は、それぞれを個々に区別する必要がない場合、医用画像診断装置１４と総称する。また、図３の病院ネットワークシステム１１の場合、説明を簡略化するために、４つの医用画像診断装置１４−１乃至１４−４を設けるようにしたが、医用画像診断装置の数は４つの場合に限定されず、勿論、より多くの医用画像診断装置が設けられるようにしてもよい。
【００３７】
ここで、医用画像診断装置１４には、例えば、図示せぬネットワークに接続されたX線診断装置、X線CT装置、磁気共鳴イメージング装置、核医学診断装置、超音波診断装置などの種々のモダリティが含まれる。なお、本発明の実施形態においては、医用画像診断装置１４として超音波診断装置を例にあげて説明する。
【００３８】
図４は、図３のHIS１２の詳細な内部の構成を表している。
【００３９】
図４に示されるように、HIS１２は、HIS制御部１５、HIS病院情報処理部１６、HIS記憶部１７、およびHIS通信部１８が入出力インタフェース１９を介して接続されて構成されている。
【００４０】
HIS制御部１５は、CPU（Central Processing Unit）またはMPU（Micro Processing Unit）からなり、種々の制御信号を生成し、各部に供給することによりHIS１２の駆動を総括的に制御する。
【００４１】
HIS病院情報処理部１６は、図示せぬネットワークを介してRIS１３から供給された種々の情報を取得するとともに、HIS記憶部１７から適宜、必要な情報を取得し、HIS制御部２１から供給された種々の制御信号に基づいて、取得された種々の情報に対して病院情報処理（例えば、会計処理や薬剤関係処理など）を実行する。
【００４２】
HIS記憶部１７は、患者の名前、性別、年齢などの個人情報、診療履歴、検査の予約、検査項目を示す検査オーダ情報などの種々の情報を予め記憶しているとともに、HIS病院情報処理部１６において実行される病院情報処理の結果（例えば、会計処理結果や薬剤関係処理結果など）を記憶する。また、HIS記憶部１７は、HIS制御部１５の指示に従い、記憶されている種々の情報を適宜、HIS１２の各部に供給する。
【００４３】
HIS通信部１８は、HIS制御部１５の指示に基づいてHIS記憶部１７から供給された検査予約情報を、ネットワーク（図示せず）を介して接続されているRIS１３を通じて医用画像診断装置１４に検査予約情報を送信するとともに、ネットワークを介して接続されているRIS１３を通じて医用画像診断装置１４から検査開始の通知と検査終了の通知を受信し、HIS制御部１５に供給する。
【００４４】
図５は、図３の医用画像診断装置１４の詳細な内部の構成を表している。
【００４５】
図５に示されるように、医用画像診断装置１４は、本体２１、入力部２２、および出力部２３により構成されている。
【００４６】
本体２１は、制御部３１、記憶部３２、検査終了処理部３３、検査終了条件設定部３４、センサ３５、および通信部３６が入出力インタフェース３７を介して接続されている。
【００４７】
制御部３１は、CPU（Central Processing Unit）またはMPU（Micro Processing Unit）からなり、種々の制御信号を生成し、各部に供給することにより医用画像診断装置１４の駆動を総括的に制御する。
【００４８】
記憶部３２は、データ記憶部３８と検査終了設定条件データベース３９により構成されている。記憶部３２のデータ記憶部３８は、医用画像診断装置１４において取得された被検体の画像データなどを記憶するとともに、医用画像診断装置１４における処理に用いられる種々のデータを記憶しており、適宜、本体２１の各部に供給する。
【００４９】
検査終了設定条件データベース３９は、検査終了条件設定部３４により予め設定された設定条件が対応付けて登録されているデータベースを管理しており、制御部３１の指示に従い、管理されているデータベースを検査終了処理部３３に供給する。
【００５０】
検査終了処理部３３は、検査終了設定条件データベース３９から供給されたデータベースを参照して、予め設定された検査終了設定条件に当てはまるか否かを判定し、予め設定された検査終了設定条件に当てはまると判定された場合、検査を終了した旨の通知を生成し、通信部３６に供給するとともに、現在行われている被検体の検査を終了する。
【００５１】
検査終了条件設定部３４は、出力部２３に表示される検査終了条件設定ダイアログに基づいて検査終了条件を設定し、設定された検査終了条件のデータである検査終了設定条件データを検査終了設定条件データベース３９に供給する。
【００５２】
センサ３５は、例えば、赤外線センサであり、被検体の検査を行うユーザが現在、医用画像診断装置１４の前に存在するか否かを検知することができるように予め医用画像診断装置１４に設けられており、常時ユーザから発する赤外領域の光を受光し、受けた光を電気信号に変換し、変換された電気信号を検知信号として制御部３１に供給する。
【００５３】
通信部３６は、図示せぬネットワークを介してRIS１３と接続されており、HIS１２からの検査予約情報を受信し、記憶部３２のデータ記憶部３８に供給するとともに、検査終了処理部３３から供給された検査終了の通知を取得し、取得された検査終了の通知をネットワークを介してRIS１３に送信する。
【００５４】
入力部２２は、本体２１と図示せぬ電気ケーブルなどを介して接続され、医用画像診断装置１４に与える種々の指示を入力するための種々のキーボード（図示せず）やマウス（図示せず）を有しており、ユーザの操作により入力された種々の指示を制御部３１に供給する。
【００５５】
出力部２３は、本体２１と図示せぬ電気ケーブルなどを介して接続され、図示せぬLCD(Liquid Crystal Display)や図示せぬCRT(Cathode Ray Tube)、あるいはデータを印刷する印刷部（図示せず）が設けられており、記憶部３２のデータ記憶部３８から供給された画像データなどを取得し、取得された画像データなどを図示せぬLCDや図示せぬCRTに表示し、あるいは図示せぬ印刷部に出力する。
【００５６】
次に、図６のフローチャートを参照して、図５の医用画像診断装置１４における検査終了条件設定処理について説明する。なお、この処理は、ユーザが被検体に対して検査を行う前に、入力部２２の図示せぬキーボードやマウスを用いて検査終了条件設定処理を開始するとの指示がなされることにより開始される。また、ユーザは、１回、医用画像診断装置１４に検査終了条件設定処理を行うように指示し、検査終了条件を設定するだけで、それ以降、これにより設定された検査終了設定条件で検査終了処理（図１０を参照して後述する）を医用画像診断装置１４に行わせることができる。勿論、病院ネットワークシステム１１の運用方法の変更や、ユーザの好みにより適宜、何回でも、医用画像診断装置１４における検査終了条件の設定を行うことできる。
【００５７】
ステップＳ１において、制御部３１は、ユーザが入力部２２のキーボード（図示せず）やマウス（図示せず）を操作することにより、検査終了条件設定処理を開始するとの指示がなされたか否かを判定し、検査終了条件設定処理を開始するとの指示がなされたと判定されるまで待機する。
【００５８】
ステップＳ１において検査終了条件設定処理を開始するとの指示がなされたと判定された場合、検査終了条件設定部３４はステップＳ２で、制御部３１の指示に従い、データ記憶部３８に記憶されている検査終了条件設定項目に関するデータである検査終了条件項目データを読み出す。
【００５９】
ステップＳ３において、検査終了条件設定部３４は、データ記憶部３８から読み出された検査終了条件設定項目データに基づいて、検査終了条件設定ダイアログを出力部２３の図示せぬLCDや図示せぬCRTに表示させるための検査終了条件設定ダイアログ表示制御信号を生成し、出力部２３に供給する。
【００６０】
ステップ４において、出力部２３は、検査終了条件設定部３４から供給された検査終了設定項目ダイアログ表示制御信号に基づいて、図７に示されるように、医用画像診断装置１４において現在行われている検査の終了条件を設定するためのインタフェースとしての検査終了条件設定ダイアログ４１を表示する。
【００６１】
図７の検査終了条件設定ダイアログ４１は、チェック欄４２乃至４８、FREEZE時間入力欄４９、キー入力なし時間入力欄５０、ユーザ不在検知時間入力欄５１、最大検査時間入力欄５２、休憩時間入力欄５３−１乃至５３−４、およびコマンド表示欄５４を有する。
【００６２】
ユーザは、入力部２２のキーボード（図示せず）やマウス（図示せず）を操作することで、チェック欄４２にチェックをすることができる。これにより、ユーザは、図７のチェック欄４２の右側に表示されている「FREEZE時間」を、検査終了条件ダイアログ４１により設定される検査終了条件の１つとして選択することができる。図７のチェック欄４２の右側に表示されている「FREEZE時間」は、医用画像診断装置１４での被検体の検査において出力部２３の図示せぬLCDや図示せぬCRTにリアルタイムに表示される画像を検査のためにユーザが一時的に図示せぬボタンにより静止させる時間（FREEZE時間）であって、それ以上静止させると検査終了処理が開始されるFREEZE時間を意味している。ユーザは、入力部２２のキーボード（図示せず）やマウス（図示せず）を操作することにより、FREEZE時間入力欄４２に「FREEZE時間」を入力することができる。図７の例の場合、ユーザがFREEZE時間入力欄４９に入力した「FREEZE時間」は「１０（min）」である。すなわち、この場合、ユーザが、医用画像診断装置１４での被検体の検査において出力部２３の図示せぬLCDや図示せぬCRTにリアルタイムに表示される画像を検査のために一時的に図示せぬボタンにより１０分以上静止させたとき、医用画像診断装置１４において検査終了処理が開始される。
【００６３】
ユーザは、入力部２２のキーボード（図示せず）やマウス（図示せず）を操作することで、チェック欄４３にチェックをすることができる。これにより、ユーザは、図７のチェック欄４３の右側に表示されている「キー入力なし時間」を、検査終了条件ダイアログ４１により設定される検査終了条件の１つとして選択することができる。図７のチェック欄４３の右側に表示されている「キー入力なし時間」は、ユーザが入力部２２のキーボード（図示せず）やマウス（図示せず）を操作しない時間（キー入力なし時間）であって、それ以上操作しないと検査終了処理が開始されるキー入力なし時間を意味している。ユーザは、入力部２２のキーボード（図示せず）やマウス（図示せず）を操作することにより、キー入力なし時間入力欄４３に「キー入力なし時間」を入力することができる。図７の例の場合、ユーザがキー入力なし時間入力欄５０に入力した「キー入力なし時間」は「１０（min）」である。すなわち、この場合、ユーザが入力部２２のキーボード（図示せず）やマウス（図示せず）を１０分以上操作しないとき、医用画像診断装置１４において検査終了処理が開始される。
【００６４】
ユーザは、入力部２２のキーボード（図示せず）やマウス（図示せず）を操作することで、チェック欄４４にチェックをすることができる。これにより、ユーザは、図７のチェック欄４４の右側に表示されている「ユーザ不在検知時間」を、検査終了条件ダイアログ４１により設定される検査終了条件の１つとして選択することができる。図７のチェック欄４４の右側に表示されている「ユーザ不在検知時間」は、ユーザが医用画像診断装置１４の前に存在しないと検知された時間（すなわち、ユーザが医用画像診断装置１４から離れたと検知された時間）（ユーザ不在検知時間）であって、それ以上ユーザが医用画像診断装置１４の前に存在しないと検知されると（すなわち、それ以上ユーザが医用画像診断装置１４から離れていると検知されると）検査終了処理が開始されるユーザ不在検知時間を意味している。ユーザは、入力部２２のキーボード（図示せず）やマウス（図示せず）を操作することにより、ユーザ不在検知時間入力欄４４に「ユーザ不在検知時間」を入力することができる。
【００６５】
図７の例の場合、ユーザがユーザ不在検知時間入力欄５１に入力した「ユーザ不在検知時間」は「１０（min）」である。すなわち、この場合、ユーザが医用画像診断装置１４の前に存在しないと検知された時間が１０分以上であるとき、医用画像診断装置１４において検査終了処理が開始される。
【００６６】
ユーザは、入力部２２のキーボード（図示せず）やマウス（図示せず）を操作することで、チェック欄４５にチェックをすることができる。これにより、ユーザは、図７のチェック欄４５の右側に表示されている「最大検査時間」を、検査終了条件ダイアログ４１により設定される検査終了条件の１つとして選択することができる。図７のチェック欄４５の右側に表示されている「最大検査時間」は、ユーザが医用画像診断装置１４を用いて１人の被検体の検査を行うのに要する最大の検査時間（最大検査時間）であって、それ以上ユーザが医用画像診断装置１４を用いて１人の被検体の検査を行うのに要すると検査終了処理が開始される最大検査時間を意味している。ユーザは、入力部２２のキーボード（図示せず）やマウス（図示せず）を操作することにより、最大検査時間入力欄５２に「最大検査時間」を入力することができる。図７の例の場合、ユーザが最大検査時間入力欄４５に入力した「最大検査時間」は「２０（min）」である。すなわち、この場合、ユーザが医用画像診断装置１４を用いて１人の被検体の検査を行うのに２０分以上要したとき、医用画像診断装置１４において検査終了処理が開始される。
【００６７】
ユーザは、入力部２２のキーボード（図示せず）やマウス（図示せず）を操作することで、チェック欄４６にチェックをすることができる。これにより、ユーザは、図７のチェック欄４６の右側に表示されている「休憩時間」を、検査終了条件ダイアログ４１により設定される検査終了条件の１つとして選択することができる。図７のチェック欄４６の右側に表示されている「休憩時間」は、ユーザが昼休みなどの休憩のために医用画像診断装置１４から必ず離れる時間（休憩時間）であって、この時間帯になると検査終了処理が開始される休憩時間を意味している。ユーザは、入力部２２のキーボード（図示せず）やマウス（図示せず）を操作することにより、休憩時間入力欄５３−１乃至５３−４に「休憩時間」を入力することができる。図７の例の場合、ユーザが休憩時間入力欄５３−１乃至５３−４に入力した「休憩時間」は「１２：３０−１３：３０」である。すなわち、この場合、１２：３０から１３：３０の間においては、医用画像診断装置１４において検査終了が開始される。
【００６８】
ユーザは、入力部２２のキーボード（図示せず）やマウス（図示せず）を操作することで、チェック欄４７にチェックをすることができる。これにより、ユーザは、図７のチェック欄４７の右側に表示されている「DICOM Serverへの送信済み」を、検査終了条件ダイアログ４１により設定される検査終了条件の１つとして選択することができる。図７のチェック欄４７の右側に表示されている「DICOM Serverへの送信済み」は、医用画像診断装置１４で取得された画像データがDICOM Server（例えば、病院ネットワークシステム１１に接続されている図示せぬ医用画像保管サーバなど）へ送信されたことを意味しており、DICOM Serverへ医用画像診断装置１４で取得された画像が送信されると検査終了処理が開始されることを意味している。
【００６９】
ユーザは、入力部２２のキーボード（図示せず）やマウス（図示せず）を操作することで、チェック欄４８にチェックをすることができる。これにより、ユーザは、図７のチェック欄４８の右側に表示されている「DICOM Printerへの送信済み」を、検査終了条件ダイアログ４１により設定される検査終了条件の１つとして選択することができる。図７のチェック欄４８の右側に表示されている「DICOM Printerへの送信済み」は、DICOM Printer（例えば、病院ネットワークシステム１１に接続されている図示せぬプリンタなど）に画像を印刷させるために医用画像診断装置１４で取得された画像データがDICOM Printerへ送信されたことを意味しており、DICOM Printerに画像を印刷させるために医用画像診断装置１４で取得された画像データがDICOM Printerへ送信されると検査終了処理が開始されることを意味している。
【００７０】
また、コマンド表示欄５４は、「登録」というコマンドのアイコンを表示している。ユーザは、コマンド表示欄５４の「登録」のアイコンを選択することにより、検査終了条件設定ダイアログ４１により設定された検査終了条件の登録を指示することができる。
【００７１】
ステップＳ５において、制御部３１は、図７の検査終了条件設定ダイアログ４１に基づいて、ユーザが入力部２２のキーボード（図示せず）やマウス（図示せず）を操作することにより、コマンド表示欄５４の「登録」のアイコンが選択されたか否かを判定し、ユーザが入力部２２のキーボード（図示せず）やマウス（図示せず）を操作することによりコマンド表示欄５４の「登録」のアイコンが選択されるまで待機する。
【００７２】
ステップＳ５においてコマンド表示欄５４の「登録」のアイコンが選択されたと判定された場合、検査終了条件設定部３４はステップＳ６で、制御部３１の指示に従い、検査終了条件設定ダイアログ４１に基づいて検査終了条件を設定する。すなわち、図７の例の場合、検査終了条件として、「１０（min）」の「FREEZE時間」、「１０（min）」の「キー入力なし時間」、「１０（min）」の「ユーザ不在検知時間」、「２０（min）」の「最大検査時間」、「１２：３０−１３：３０」の「休憩時間」、「DICOM Serverへの送信済み」、および「DICOM Printerへの送信済み」を設定することができる。これにより、例えば、医用画像診断装置１４での被検体の検査において出力部２３の図示せぬLCDや図示せぬCRTにリアルタイムに表示される画像を検査のためにユーザが１０分以上図示せぬボタンにより静止させると、医用画像診断装置１４に検査終了処理（図１０のフローチャートを参照して後述する）を開始させることができる。
【００７３】
ステップＳ７において、検査終了条件設定部３４は、ステップＳ６の処理により設定された検終了条件の設定データである検査終了条件設定データを検査終了設定条件データベース３９に供給する。ステップＳ８において、検査終了設定条件データベース３９は、検査終了条件設定部３４から供給された検査終了条件設定データを取得し、取得された検査終了条件設定データを検査終了条件データベース３９で管理されているデータベースに登録する。
【００７４】
図８は、記憶部３２の検査終了設定条件データベース３９で管理されているデータベースの例を表している。
【００７５】
図８の検査終了設定条件データベース３９の第１列目乃至第７列目には、「FREEZE時間」、「キー入力なし時間」、「ユーザ不在検知時間」、「最大検査時間」、「休憩時間」、「DICOM Serverへの送信済み」、および「DICOM Printerへの送信済み」が記述されている。なお、これらの説明については、図７の検査終了条件設定ダイアログ４１における説明と重複するため、繰り返しになるので省略する。
【００７６】
検査終了設定条件データベース３９の第１行目の場合、「FREEZE時間」は「１０（min）」であり、医用画像診断装置１４での被検体の検査において出力部２３の図示せぬLCDや図示せぬCRTにリアルタイムに表示される画像を検査のためにユーザが一時的に図示せぬボタンにより静止させた時間（FREEZE時間）であって、それ以上静止させると検査終了処理が開始されるFREEZE時間が「１０（min）」であることを示している。「キー入力なし時間」は「１０（min）」であり、ユーザが入力部２２のキーボード（図示せず）やマウス（図示せず）を操作しない時間（キー入力なし時間）であって、それ以上操作しないと検査終了処理が開始されるキー入力なし時間が「１０（min）」であることを示している。「ユーザ不在検知時間」は「１０（min）」であり、ユーザが医用画像診断装置１４の前に存在しないと検知された時間（ユーザ不在検知時間）であって、それ以上ユーザが医用画像診断装置１４の前に存在しないと検知されると検査終了処理が開始されるユーザ不在検知時間が「１０（min）」であることを示している。
【００７７】
「最大検査時間」は「２０（min）」であり、ユーザが医用画像診断装置１４を用いて１人の被検体の検査を行うのに要する最大の検査時間（最大検査時間）であって、それ以上ユーザが医用画像診断装置１４を用いて１人の被検体の検査を行うのに要すると検査終了処理が開始される最大検査時間が「２０（min）」であることを示している。「休憩時間」は「１２：３０−１３：３０」であり、ユーザが昼休みなどの休憩のために医用画像診断装置１４から必ず離れる時間（休憩時間）であって、この時間帯になると検査終了処理が開始される休憩時間が「１２：３０−１３：３０」であることを示している。「DICOM Serverへの送信済み」は「あり」であり、「DICOM Serverへの送信済み」が検査終了条件として設定され、医用画像診断装置１４で取得された画像がDICOM Serverへ送信されると検査終了処理が開始されることを示している。「DICOM Printerへの送信済み」は「あり」であり、「DICOM Printerへの送信済み」が検査終了条件として設定され、DICOM Printerに印刷させるために医用画像診断装置１４で取得された画像データがDICOM Printerへ送信されることを示している。
【００７８】
次に、図９のフローチャートを参照して、図３の医用画像診断装置１４の検査終了処理について説明する。
【００７９】
ステップＳ１１において、制御部３１は、検査終了設定条件データベース３９に管理されているデータベースを読み出し、検査終了処理部３３に供給する。ステップＳ１２において、検査終了処理部３３は、制御部３1を介して検査終了設定データベース３９から供給されたデータベースを参照して、予め設定された検査終了設定条件に当てはまるか否かを判定する。すなわち、図８の例の場合、医用画像診断装置１４での被検体の検査において出力部２３の図示せぬLCDや図示せぬCRTにリアルタイムに表示される画像を検査のためにユーザが１０分以上図示せぬボタンにより静止させた場合や、ユーザが入力部２２のキーボード（図示せず）やマウス（図示せず）を１０分以上操作しない場合などに、予め設定された検査終了設定条件に当てはまると判定される。
【００８０】
ステップＳ１２において予め設定された検査終了設定条件に当てはまらないと判定された場合、処理は予め設定された検査終了設定条件に当てはまると判定されるまで待機する。
【００８１】
ステップＳ１２において予め設定された検査終了設定条件に当てはまると判定された場合、検査終了処理部３３はステップＳ１３で、検査終了処理の実行をユーザに予告する検査終了処理実行予告ダイアログを出力部２３に表示させるための検査終了処理実行予告ダイアログ表示制御信号を生成し、出力部２３に供給する。
【００８２】
ステップＳ１４において、出力部２３は、検査終了処理部３３から供給された検査終了処理実行予告ダイアログ表示制御信号に基づいて、図１０に示されるように、検査終処理実行予告ダイアログ６１を表示する。
【００８３】
図１０は、出力部２３に表示される検査終了処理実行予告ダイアログ６１の表示例を表している。
【００８４】
図１０の検査終了処理実行予告ダイアログ６１は、メッセージ表示欄６２とコマンド表示欄６３を有する。
【００８５】
図１０の例の場合、メッセージ表示欄６２には、メッセージとして「１分後に、検査終了処理を実行します。キャンセルする場合には、いずれかのキー入力を行ってください」が表示される。これにより、ユーザは、医用画像診断装置１４の検査終了処理により現在行われている検査の終了処理が１分後に実行され、その検査終了処理をキャンセルする場合には、入力部２２のいずれかのキーの入力を行えばよいことが分かる。
【００８６】
コマンド表示欄６３には、「OK」というコマンドのアイコンを表示している。ユーザは、入力部２２のキーボード（図示せず）やマウス（図示せず）を操作することにより、コマンド表示欄６３の「OK」のアイコンを選択し、検査終了処理の実行を指示することができる。
【００８７】
ステップＳ１５において、制御部３１は、検査終了処理実行予告ダイアログ６１に基づいて検査終了処理を実行するとの指示がなされたか否かを判定する。すなわち、ユーザが入力部２２のキーボード（図示せず）やマウス（図示せず）を操作することによりコマンド表示欄６３の「OK」のアイコンを選択した場合、ステップＳ１５において制御部３１は、検査終了処理を実行するとの指示がなされたと判定する。
【００８８】
ステップＳ１５において検査終了処理を実行するとの指示がなされたと判定された場合、検査終了処理部３３はステップＳ１６で、制御部３１の指示に従い、RIS１３を介してHIS１２に送信するための「検査が終了した旨の通知」を生成し、通信部３６に供給する。ステップＳ１７において、通信部３６は、検査終了処理部３３から供給された「検査が終了した旨の通知」を取得し、取得された検査が終了した旨の通知を図示せぬネットワークを介してRIS１３に送信する。
【００８９】
ステップＳ１８において、検査終了処理部３３は、検査終了処理を実行する。具体的には、医用画像診断装置１４に設けられた出力部２３の画面上に表示されている画像や計測結果のクリアなどを行う。
【００９０】
このように、医用画像診断装置１４における検査終了条件を予め設定するようにしたので、ユーザがたとえ医用画像診断装置１４において現在行われている被検体の検査の終了操作を忘れてしまったとしても、予め設定された検査終了条件を満たせば、医用画像診断装置１４において現在行われている被検体の検査を終了させることができる。これにより、医用画像診断装置１４における検査終了処理の操作性を向上させることができる。また、同時に、医用画像診断装置１４において現在行われている被検体の検査画像などが不特定多数の人に見られないようにすることができ、その結果、被検体の個人情報を有効に保護することができる。
【００９１】
ステップＳ１５において検査終了処理を実行するとの指示がなされていないと判定された場合、制御部３１はステップＳ１９で、検査終了処理の実行をキャンセルするとの指示がなされたか否かを判定する。すなわち、ユーザが入力部２２のキーボード（図示せず）のいずれかのキーを操作することによりいずれかのキー入力を行った場合、ステップＳ１９において制御部３１は、検査終了処理の実行をキャンセルすると判定する。
【００９２】
ステップＳ１９において検査終了処理の実行をキャンセルするとの指示がなされたと判定された場合、検査終了処理部３３はステップＳ２０で、制御部３１の指示に従い、検査終了処理の実行をキャンセルする。その後、処理はステップＳ１２に進み、ステップ１２以降の処理が繰り返される。これにより、医用画像診断装置１４で現在行われている検査の終了処理の実行をキャンセルすることができる。従って、ユーザの意に反して、被検体の検査中であるにもかかわらず、被検体の検査の終了処理が実行させることを防止することができ、医用画像診断装置１４の操作性を向上させることができる。
【００９３】
なお、ユーザにより医用画像診断装置１４における検査終了処理の実行がキャンセルされたあと、所定の時間、例えば５分間など、医用画像診断装置１４における検査終了処理を中断するようにしてもよい。これにより、ユーザは、予め設定された検査終了条件に基づく検査終了処理の再実行されることを気にすることなく、所定の時間（例えば、５分間など）、医用画像診断装置１４で現在行われている検査をさらに続行することができる。従って、医用画像診断装置１４における検査終了処理の操作性をさらに向上させることができる。
【００９４】
ステップＳ１９において検査終了処理の実行をキャンセルするとの指示がなされていないと判定された場合、処理はステップＳ１５に戻り、その後ステップＳ１５以降の処理が繰り返される。
【００９５】
次に、図１１のフローチャートを参照して、図３のHIS１２の病院情報処理について説明する。
【００９６】
ステップＳ２５において、HIS制御部１５は、医用画像診断装置１４から検査が終了した旨の通知を受信したか否かを判定する。すなわち、HIS制御部１５は、HIS通信部１８がネットワークを介してRIS１３から検査が終了した旨の通知を受信したか否かを判定する。
【００９７】
ステップＳ２５において検査が終了した旨の通知を受信したと判定された場合、HIS制御部１５はステップＳ２６で、HIS病院情報処理部１７に病院情報処理を開始させるための病院情報処理開始制御信号を生成し、HIS病院情報処理部１７に供給する。
【００９８】
ステップＳ２７において、HIS病院情報処理部１７は、HIS制御部１５から供給された病院情報処理開始制御信号に基づいて病院情報処理を開始する。具体的には、HIS記憶部１７から取得された種々の情報に対して病院情報処理（例えば、会計処理や薬剤関係処理など）を実行する。
【００９９】
このように、本発明の実施形態に示された病院ネットワークシステム１１においては、ユーザがたとえ医用画像診断装置１４において現在行われている被検体の検査の終了操作を忘れてしまったとしても、予め設定された検査終了条件を満たせば、医用画像診断装置１４において現在行われている被検体の検査を終了させるとともに、検査が終了した旨の通知をHIS１２に送信するようにしたので、HIS１２において、検査が終了した旨の通知を受けた検査について病院情報処理を実行することができる。これにより、すでに検査を受け終わり、会計を早く済ませたいと所望する被検体を不必要に長く待たせることなく、会計処理などを開始することができる。従って、病院ネットワークシステム１１全体のスループットを向上させることができる。
【０１００】
なお、本発明の実施形態に示された医用画像診断装置１４においては、センサ３５によりユーザが医用画像診断装置１４の前から離れたか否かを検知し、ユーザ不在検知時間を検査終了条件として設定するようにしたが、例えば、医用画像診断装置１４において現在行われている検査の終了処理が実行される前にユーザが医用画像診断装置１４から離れてしまった場合（すなわち、検査中であるにもかかわらず、ユーザが医用画像診断装置１４から離れてしまった場合など）、ユーザに検査の終了処理が実行されていない旨を警報音により告知するようにしてもよい。以下、この場合の医用画像診断装置１４における処理について説明する。
【０１０１】
図１２は、本発明を適用した医用画像診断装置１４の他の詳細な内部の構成を表している。なお、図１２の医用画像診断装置１４は、図５の医用画像診断装置１４の代わりに図３の病院ネットワークシステム１１に用いられており、図３のHIS１２とRIS１３については同様であり、その説明については繰り返しになるので省略する。また、図５に示された医用画像診断装置１４の構成と同一あるいは対応するものについては、同一の符号を付したあり、その説明は繰り返しになるので省略する。
【０１０２】
警報音発生部６５は、制御部３１からの指示に基づいて、ユーザに検査の終了処理が実行されていない旨を告知する警報音の発生および停止を行う。
【０１０３】
次に、図１３のフローチャートを参照して、図１２の医用画像診断装置１４における検査終了処理について説明する。なお、図１３のステップＳ３１乃至Ｓ４０の処理は、図９のステップＳ１１乃至Ｓ２０の処理と同様であり、その説明は繰り返しになるので省略する。
【０１０４】
ステップＳ３２において予め設定された検査終了設定条件に当てはまらないと判定された場合、制御部３１はステップＳ４１で、センサ３５から検知信号の供給が停止したか否かを判定する。すなわち、制御部３１は、センサ３５から、被検体の検査を行うユーザが医用画像診断装置１４の前に存在するか否かを示す検知信号の供給が停止したか否かを判定する。
【０１０５】
ステップＳ４１においてセンサ３５からの検知信号の供給が停止したと判定された場合（すなわち、ユーザが医用画像診断装置１４の前から離れたと判定された場合）、現在行われている検査の終了処理がまだ実行されていない旨をユーザに告知するための警報音を警報音発生部６５に発生させる検査終了未処理警報音発生制御信号を生成し、警報音発生部６５に供給する。
【０１０６】
ステップＳ４３において、警報音発生部６５は、制御部３１から供給された検査終了未処理警報音発生制御信号に基づいて警報音を発生する。これにより、ユーザは、検査中であるにもかかわらず、ユーザが医用画像診断装置１４から離れてしまった場合などに、検査の終了処理がまだ実行されていないことを知ることができる。従って、医用画像診断装置１４において現在行われている検査の終了処理がまだ実行されていないことをユーザが忘れていた場合であっても、医用画像診断装置１４において検査終了処理が実行されずにしばらくの間放置されてしまうことを防止することができ、医用画像診断装置１４の検査終了処理における操作性をさらに向上させることができる。
【０１０７】
ステップＳ４４において、制御部３１は、センサ３５から検知信号の供給が再開したか否かを判定する。すなわち、制御部３１は、センサ３５から、被検体の検査を行うユーザが医用画像診断装置１４の前に存在するか否かを示す検知信号の供給が再開したか否かを判定する。付言すると、ユーザが警報音により医用画像診断装置１４において現在行われている検査の終了処理が実行されていないことに気が付き、ユーザが医用画像診断装置１４の前に再び戻ることにより、センサ３５から検知信号の供給が再開したか否かが判定される。
【０１０８】
ステップＳ４４においてセンサ３５からの検知信号の供給が再開していないと判定された場合、処理はセンサ３５からの検知信号の供給が再開されるまで待機する。
【０１０９】
ステップＳ４４においてセンサ３５から検知信号の供給が再開したと判定された場合、制御部３１は、発生している警報音を警報音発生部６５に停止させるための検査終了未処理警報音発生停止制御信号を生成し、警報音発生部６５に供給する。
【０１１０】
ステップＳ４６において、警報音発生部６５は、制御部３１から供給された検査終了未処理警報音発生停止制御信号に基づいて、警報音の発生を停止する。その後、処理はステップＳ３２に進む。なお、図１３のステップＳ４４乃至Ｓ４６の処理において、ユーザが医用画像診断装置１４の前に戻ることにより、センサ３５から検知信号の供給が再開したか否かが判定されるまで警報音の発生は停止されないため、ユーザが医用画像診断装置１４において現在行われている検査の終了処理が実行されていないことに気が付き、医用画像診断装置１４の前に戻るまで警報音は発生し続ける。
【０１１１】
ステップＳ４１においてセンサ３５からの検知信号の供給が停止していないと判定された場合（すなわち、ユーザが医用画像診断装置１４の前にいると判定された場合）、処理はステップＳ３２に戻り、ステップ３２以降の処理が繰り返される。
【０１１２】
なお、図１３のフローチャートを参照して説明した検査終了処理においては、ステップＳ３２において予め設定された検査終了設定条件に当てはまらないと判定された場合に、ステップＳ４１乃至Ｓ４６の処理を行うようにしたが、勿論、ステップＳ３２において予め設定された検査終了設定条件に当てはまると判定された場合に、ステップＳ４１乃至Ｓ４６の処理を行うようにしてもよい。これにより、ユーザは、検査が実際には終了されているにもかかわらず検査終了処理が実行される前に医用画像診断装置１４から離れてしまった場合に、検査の終了処理がまだ実行されていないことを知ることができる。
【０１１３】
また、図１３のフローチャートを参照して説明した検査終了処理においては、検査中にユーザが医用画像診断装置１４から一瞬離れてしまった場合においても警報音が発生してしまい、発生する警報音がユーザにとって煩わしいと感じる場合も考えられる。そこで、ユーザの好みによりステップＳ４１乃至Ｓ４６の処理を行うか否かを予め設定するようにしてもよい。
【０１１４】
さらに、ステップＳ４１乃至Ｓ４６の処理の前に、ユーザが医用画像診断装置１４から所定の時間離れたか否かを判定するステップを設け、ユーザが医用画像診断装置１４から所定の時間離れた場合のみステップＳ４１乃至Ｓ４６の処理を行い、警報音を発生するようにしてもよい。これにより、ユーザが検査中に医用画像診断装置１４から一瞬離れ、その後すぐに医用画像診断装置１４の前に戻るような場合に、警報音を発生させないようにすることができる。
【０１１５】
なお、医用画像診断装置１４の本体２１に警報音発生部６５を設ける代わりに、警報音を発生させる警報音発生部が予め設けられたワイヤレスキーをユーザに予め常時携帯させるようにしておき、医用画像診断装置１４に現在行われている検査の終了処理が実行される前にユーザが医用画像診断装置１４から離れた場合（すなわち、検査中であるにもかかわらず、ユーザが医用画像診断装置１４から離れてしまった場合や、検査が実際には終了されているにもかかわらず、検査終了処理が実行される前にユーザが医用画像診断装置１４から離れてしまった場合など）、ユーザが携帯しているワイヤレスキーに予め設けられた警報音を用いることによりユーザに検査の終了処理が実行されていない旨を告知するようにしてもよい。
【０１１６】
図１４は、ユーザが携帯しているワイヤレスキー６６の内部の構成を表している。
【０１１７】
図１４に示されるように、ワイヤレスキー６６は、ワイヤレスキー制御部７１、ワイヤレスキー通信部７２、ワイヤレスキー警報音発生部７３、およびワイヤレスキー入力部７４により構成されている。
【０１１８】
ワイヤレスキー制御部７１は、CPU（Central Processing Unit）またはMPU（Micro Processing Unit）からなり、種々の制御信号を生成し、各部に供給することによりワイヤレスキー６６の駆動を総括的に制御する。
【０１１９】
ワイヤレスキー通信部７２は、赤外線信号など用いて、医用画像診断装置１４との間で双方向に通信を行う。
【０１２０】
ワイヤレスキー警報音発生部７３は、ワイヤレスキー制御部７１からの指示に基づいて、ユーザに検査の終了処理が実行されていない旨を告知する警報音の発生および停止を行う。
【０１２１】
ワイヤレスキー入力部７４は、ワイヤレスキー６６の所定の位置に設けられており、検査を終了するとの指示を入力するための検査終了指示ボタン（図示せず）などを有しており、ユーザの操作により入力された指示をワイヤレスキー制御部７１に供給する。
【０１２２】
図１５のフローチャートを参照して、ユーザに図１４のワイヤレスキー６６を携帯させた場合の、図１２の医用画像診断装置１４における他の検査終了処理について説明する。なお、図１５のステップＳ５１、ステップＳ５２、ステップＳ５８乃至Ｓ６５の処理は、図９のステップＳ１１乃至Ｓ２０の処理と同様であり、その説明は繰り返しになるので省略する。
【０１２３】
ステップＳ５２において予め設定された検査終了設定条件に当てはらないと判定された場合、制御部３１はステップＳ５３で、センサ３５からの検知信号の供給が停止したか否かを判定する。すなわち、制御部３１は、センサ３５から、被検体の検査を行うユーザが医用画像診断装置１４の前に存在するか否かを示す検知信号の供給が停止したか否かを判定する。
【０１２４】
ステップＳ５３においてセンサ３５からの検知信号の供給が停止していないと判定された場合（すなわち、ユーザが医用画像診断装置１４の前にいると判定された場合）、処理はステップＳ５２に戻り、ステップ５２以降の処理が繰り返される。
【０１２５】
ステップＳ５３においてセンサ３５からの検知信号の供給が停止したと判定された場合（すなわち、ユーザが医用画像診断装置１４の前から離れたと判定された場合）、制御部３１はステップＳ５４で、ユーザが携帯するワイヤレスキー６６のワイヤレスキー警報音発生部７３に警報音を発生させるためのワイヤレスキー警報音発生制御信号を生成し、通信部３６に供給する。
【０１２６】
ステップＳ５５において、通信部３６は、制御部３１から供給されたワイヤレスキー警報音発生制御信号を取得し、取得されたワイヤレススキー警報音発生制御信号をワイヤレスキー６６に送信する。
【０１２７】
ここで、図１６のフローチャートを参照して、図１５のステップＳ６３の処理に対応する、図１４のワイヤレスキー６６のワイヤレスキー警報音発生処理について説明する。
【０１２８】
ステップＳ７１において、ワイヤレスキー制御部７１は、医用画像診断装置１４からワイヤレスキー警報音発生制御信号をワイヤレスキー通信部７２が受信したか否かを判定し、医用画像診断装置１４からワイヤレスキー警報音発生制御信号をワイヤレスキー通信部７２が受信したと判定するまで待機する。
【０１２９】
ステップＳ７１において医用画像診断装置１４からワイヤレスキー警報音発生制御信号をワイヤレスキー通信部７２が受信したと判定された場合、ワイヤレスキー制御部７１はステップＳ７２で、ワイヤレスキー警報音発生部７３に警報音を発生させるためのワイヤレスキー警報音発生開始制御信号を生成し、ワイヤレスキー警報音発生部７３に供給する。
【０１３０】
ステップＳ７３において、ワイヤレスキー警報音発生部７３は、ワイヤレスキー制御部７１から供給されたワイヤレスキー警報音発生開始制御信号に基づいて、警報音の発生を開始する。これにより、ユーザは、医用画像診断装置１４において現在行われている検査の終了処理が実行されていない旨を知ることができる。
【０１３１】
ステップＳ７４において、ワイヤレスキー制御部７１は、ユーザがワイヤレスキー入力部７４の検査終了指示ボタン（図示せず）を操作することにより、検査を終了するとの指示がなされたか否かを判定する。
【０１３２】
ステップ７４においてユーザがワイヤレスキー入力部７４の検査終了指示ボタン（図示せず）を操作することにより検査を終了するとの指示がなされたと判定された場合、ワイヤレスキー制御部７１はステップＳ７５で、医用画像診断装置１４に検査終了処理の実行を指示するための検査終了指示信号を生成し、ワイヤレスキー通信部７２に供給する。
【０１３３】
ステップＳ７６において、ワイヤレスキー通信部７２は、ワイヤレスキー制御部７１から供給された検査終了指示信号を取得し、取得された検査終了指示信号を医用画像診断装置１４に送信する。
【０１３４】
ステップＳ７７において、ワイヤレスキー制御部７１は、ワイヤレスキー警報音発生部７３に警報音の発生を停止させるためのワイヤレスキー警報音発生停止制御信号を生成し、ワイヤレスキー警報音発生部７３に供給する。
【０１３５】
ステップＳ７８において、ワイヤレスキー警報音発生部７３は、ワイヤレスキー制御部７１から供給されたワイヤレスキー警報音発生停止制御信号に基づいて、警報音の発生を停止する。
【０１３６】
ステップＳ７４においてユーザがワイヤレスキー入力部７４の検査終了指示ボタン（図示せず）を操作することにより検査を終了するとの指示がなされていないと判定された場合、ワイヤレスキー制御部７１はステップＳ７９で、ユーザがワイヤレスキー入力部７４の警報音発生停止指示ボタン（図示せず）を操作することにより、警報音の発生を停止するとの指示がなされたか否かを判定する。
【０１３７】
ステップＳ７９においてユーザがワイヤレスキー入力部７４の警報音発生停止指示ボタン（図示せず）を操作することにより警報音の発生を停止するとの指示がなされたと判定された場合、処理はステップＳ７７に進み、ステップＳ７７以降の処理が行われる。これにより、ユーザは、ワイヤレスキー６６の警報音の発生を停止させることができ、ワイヤレスキー６６の警報音の発生を停止させた後、医用画像診断装置１４に戻り、検査終了処理を実行させることができる。従って、医用画像診断装置１４の検査終了処理における操作性をさらに向上させることができる。
【０１３８】
ステップＳ７９においてユーザがワイヤレスキー入力部７４の警報音発生停止指示ボタン（図示せず）を操作することにより警報音の発生を停止するとの指示がなされていないと判定された場合、処理はステップＳ７４に戻り、ステップＳ７４以降の処理が繰り返される。これにより、ユーザによりワイヤレスキー入力部７４の検査終了指示ボタン（図示せず）あるいは警報音発生停止指示ボタン（図示せず）が操作されることにより検査終了の指示あるいは警報音の発生停止の指示がなされるまで、ワイヤレスキー６６の警報音を発生させ続けることができる。
【０１３９】
図１５に戻り、ステップＳ５６において、制御部３１は、ワイヤレスキー６６から検査終了指示信号を通信部３６が受信した否かを判定し、ワイヤレスキー６６から検査終了指示信号を通信部３６が受信したと判定するまで待機する。
【０１４０】
ステップＳ５６においてワイヤレスキー６６から検査終了指示信号を通信部３６が受信したと判定された場合、処理はステップＳ６４に進み、ステップＳ６４以降の処理が実行される。
【０１４１】
このように、ユーザが携帯しているワイヤレスキー６６に予め設けられた警報音を用いることによりユーザに検査の終了処理が実行されていない旨を告知し、ユーザがワイヤレスキー６６の検査終了指示ボタンを操作することにより医用画像診断装置１４に検査終了処理の実行を指示するようにしたので、ユーザは、検査中であるにもかかわらず、医用画像診断装置１４から離れてしまった場合に、医用画像診断装置１４から離れていても医用画像診断装置１４に検査終了処理の実行を指示することができる。これにより、医用画像診断装置１４における検査終了処理の操作性をさらに向上させることができる。
【０１４２】
ステップＳ５２において予め設定された検査終了設定条件に当てはまると判定された場合、制御部３１はステップＳ５７で、センサ３５からの検知信号の供給が停止したか否かを判定する。すなわち、制御部３１は、センサ３５から、被検体の検査を行うユーザが医用画像診断装置１４の前に存在するか否かを示す検知信号の供給が停止したか否かを判定する。
【０１４３】
ステップＳ５７においてセンサ３５からの検知信号の供給が停止したと判定された場合（すなわち、ユーザが医用画像診断装置１４の前から離れたと判定された場合）、処理はステップＳ５４に進み、その後、ステップＳ５４以降の処理が実行される。
【０１４４】
これにより、ユーザは、検査が実際には終了されているにもかかわらず検査終了処理が実行される前に医用画像診断装置１４から離れてしまった場合に、医用画像診断装置１４において現在行われている検査の終了処理が実行されていない旨を知ることができ、医用画像診断装置１４から離れていても医用画像診断装置１４に検査終了処理の実行を指示することができる。これにより、医用画像診断装置１４における検査終了処理の操作性をさらに向上させることができる。
【０１４５】
ステップＳ５７においてセンサ３５からの検知信号の供給が停止していないと判定された場合（すなわち、ユーザが医用画像診断装置１４の前にいると判定された場合）、処理はステップＳ５８に進み、ステップＳ５８以降において検査終了処理が実行される。これにより、ユーザは、医用画像診断装置１４に検査終了処理を実行させることができる。
【０１４６】
ステップＳ６４において検査終了処理の実行をキャンセルするとの指示がなされていないと判定された場合、処理はステップＳ５７に戻り、その後ステップＳ５７以降の処理が繰り返される。なお、この場合、ステップＳ５８とステップＳ５９における検査終了処理実行予告ダイアログ表示処理においては、すでに検査終処理実行予告ダイアログ６１が表示されているので、再度、検査終了処理実行予告ダイアログ表示処理は行われない。
【０１４７】
これにより、一度、ユーザが医用画像診断装置１４の前にいる判定された場合であっても、その後、検査が実際には終了されているにもかかわらず検査終了処理が実行される前に医用画像診断装置１４から離れてしまった場合に、ユーザは、ワイヤレスキー６６の警報音により医用画像診断装置１４において現在行われている検査の終了処理が実行されていない旨を知ることができ、医用画像診断装置１４から離れていても医用画像診断装置１４に検査終了処理の実行を指示することができる。これにより、医用画像診断装置１４における検査終了処理の操作性をさらに向上させることができる。
【０１４８】
なお、本発明の実施形態に示された医用画像診断装置１４とワイヤレスキー６６においては、ユーザがワイヤレスキー６６の検査終了指示ボタンを操作することにより医用画像診断装置１４に検査終了処理の実行を指示するようにしたが、ユーザが医用画像診断装置１４において検査終了処理の開始を指示するようにしてもよい。
【０１４９】
また、本発明の実施形態に示された病院ネットワーシステム１１においては、医用画像診断装置１４における検査終了条件として、「FREEZE時間」、「キー入力なし時間」、「ユーザ不在検知時間」、「最大検査時間」、「休憩時間」、および「DICOM Serverへの送信済み」、「DICOM Printerへの送信済み」を設定することができるようにしたが、このような条件に限られず、医用画像診断装置１４においてユーザが検査を終了する際に一般に行う行為に対応する条件であればよく、本発明が適用される病院ネットワークシステム１１の運用方法に好適な設定条件や、ユーザの好みに合う設定条件を設けることできる。
【０１５０】
例えば、「照度センサ情報」、「LOGIN/LOGOUT情報」、「VCR（Video Cassette Recorder）排出」、「電源OFF/Standby状態の検出」、および「ベッド上の被検体の不在検知時間」などを設定条件として設けるようにしてもよい。ここで、「照度センサ情報」は医用画像診断装置１４の周囲が明るいか否かを検知する照度センサ情報を意味しており、「LOGIN/LOGOUT情報」はユーザが医用画像診断装置１４にLOGIN/LOGOUTしたか否かを示す情報を意味しており、「VCR排出」はユーザにより医用画像診断装置１４からVCRが排出された（取り出された）ときを意味しており、「電源OFF/Standby状態の検出」は医用画像診断装置１４の電源OFF/Standby状態の検出を意味しており、および「ベッド上の被検体の不在検知時間」は検査を受ける被検体が医用画像診断装置１４の近傍のベッド上で存在すると検知されない時間を意味している。
【０１５１】
さらに、本発明の実施形態では、フローチャートのステップは、記載された順序に沿って時系列的に行われる処理の例を示したが、必ずしも時系列的に処理されなくとも、並列的あるいは個別に実行される処理をも含むものである。
【図面の簡単な説明】
【０１５２】
【図１】MPPSを導入している場合における従来の病院ネットワークシステムについて説明する概略図。
【図２】ユーザが検査終了時に検査終了ボタンの操作を忘れてしまった場合における医用画像診断装置や病院ネットワークシステムでの検査終了処理や会計処理などの遅延について説明する概念図。
【図３】本発明を適用した病院ネットワークシステムの構成例を示す図。
【図４】図３のHISの内部の詳細な構成を示すブロック図。
【図５】図３の医用画像診断装置の内部の詳細な構成を示すブロック図。
【図６】図５の医用画像診断装置における検査終了条件設定処理について説明するフローチャート。
【図７】図５の出力部２３に表示される検査終了条件設定ダイアログ４１の表示例を示す図。
【図８】図５の検査終了設定条件データベースに管理されているデータベースの例を示す図。
【図９】図５の医用画像診断装置における検査終了処理について説明するフローチャート。
【図１０】図５の出力部に表示される検査終了処理実行予告ダイアログの例を示す図。
【図１１】図３のHISにおける病院情報処理について説明するフローチャート。
【図１２】図３の医用画像診断装置の他の内部の詳細な構成を示すブロック図。
【図１３】図１２の医用画像診断装置における検査終了処理について説明するフローチャート。
【図１４】ユーザが携帯するワイヤレスキーの内部の構成を示す図。
【図１５】図１２の医用画像診断装置における他の検査終了処理について説明するフローチャート。
【図１６】図１４のワイヤレスキーにおけるワイヤレスキー警報音発生処理について説明するフローチャート。
【符号の説明】
【０１５３】
１１  病院ネットワークシステム
１２  HIS
１３  RIS
１４−１乃至１４−４  医用画像診断装置
１５  HIS制御部
１６  HIS病院情報処理部
１７  HIS記憶部
１８  HIS通信部
１９  HIS入出力インタフェース
２１  本体
２２  入力部
２３  出力部
３１  制御部
３２  記憶部
３３  検査終了処理部
３４  検査終了条件設定部
３５  センサ
３６  通信部
３７  入出力インタフェース
６５  警報音発生部
６６  ワイヤレスキー
７１  ワイヤレスキー制御部
７２  ワイヤレスキー通信部
７３  ワイヤレスキー警報音発生部
７４  ワイヤレスキー入力部
【図１】
2007215685.tif 000003
【図２】
2007215685.tif 000004
【図３】
2007215685.tif 000005
【図４】
2007215685.tif 000006
【図５】
2007215685.tif 000007
【図６】
2007215685.tif 000008
【図７】
2007215685.tif 000009
【図８】
2007215685.tif 000010
【図９】
2007215685.tif 000011
【図１０】
2007215685.tif 000012
【図１１】
2007215685.tif 000013
【図１２】
2007215685.tif 000014
【図１３】
2007215685.tif 000015
【図１４】
2007215685.tif 000016
【図１５】
2007215685.tif 000017
【図１６】
2007215685.tif 000018